(57)【要約】【課題】  簡易な作業で迅速な入れ替えおよび取付が可能な構成を備えた遊技機取付用枠を提供する。【解決手段】  遊技機設置箇所に設けられている台部材に対して遊技機を支持する外枠１０を挿入載置可能な構成を備えた遊技機設置構造において、遊技機設置箇所に載置されている台部材ＡＢに固定された係合突起３０と、遊技機を支持する外枠１０の底部１０Ａに形成され、前記係合突起３０を収容する係合溝２２とを備え、前記係合溝２２は、前記外枠１０の挿入方向Ｓに形成され、前記係合突起３０を案内するガイド部２２Ａと、該ガイド部２２Ａに案内された前記係合突起３０を挿脱方向に移動不能に固定する係止部２２Ｂとを備えることを特徴とする。【選択図】  図２
2007209606.tif 000002
【特許請求の範囲】
【請求項１】
遊技機設置箇所に設けられている台部材に対して遊技機を支持する外枠を挿入載置可能な構成を備えた遊技機設置構造において、
遊技機設置箇所に載置されている台部材に固定された係合突起と、
遊技機を支持する外枠の底部に形成され、前記係合突起を収容する係合溝とを備え、
前記係合溝は、前記外枠の挿入方向に形成され、前記係合突起を案内するガイド部と、該ガイド部に案内された前記係合突起を挿脱方向に移動不能に固定する係止部とを備えることを特徴とする遊技機設置構造。
【請求項２】
前記係止部は、前記ガイド部に接続され、前記外枠の挿入方向に交差する方向に形成され、前記係合突起と同一幅を有する収納部であることを特徴とする請求項１記載の遊技機設置構造。
【請求項３】
遊技機設置箇所に設けられている台部材に対して遊技機を支持する外枠を挿入載置可能な構成を備えた遊技機設置構造において、
前記外枠の設置完了時に、相互に係合して、前記台部およびこれと上下方向で対面する天部材に対して前記外枠の幅方向の移動を規制する係合凹部と係合凸部とを有し、
該係合凹部は、前記台部材と天板部とを含む開口部の前方側から奥側に向けて開口幅が漸減し、係合凸部は前記係合凹部と相対形状をなすように前記開口部の奥側から前方側に向けて幅が漸減する構成とされ、
前記係合凹部は前記外枠または台部材と天部材の一方に、そして前記係合凸部は外枠または台部材と天部材の他方に設けられていることを特徴とする遊技機設置構造。
【請求項４】
遊技機設置箇所に設けられている台部材に対して遊技機を支持する外枠を挿入載置可能な構成を備えた遊技機設置構造において、
台部材およびこれと上下方向で対面する天部材の少なくとも一方に設けられた支持部材と、
前記支持部材に設けられている揺動支点と、
前記揺動支点により揺動自在に支持された固定部材と、
該固定部材に設けられている操作部と、
前記揺動支点を挟んで前記操作部の反対側に設けられている押さえ部材とを備え、
前記押さえ部材は、前記台部材と前記押さえ部材との間に前記外枠を挟んで該外枠を押圧固定する固定位置と、固定を解除できる開放位置との間で移動可能に支持され、
前記固定位置と開放位置は、前記揺動支点から前記台部材へ下ろした垂線を挟んで相互に反対側に位置することを特徴とする遊技機設置構造。
【発明の詳細な説明】
【技術分野】
【０００１】
本発明は、遊技機設置構造に関し、特に、遊技場での島と称される遊技機設置部への遊技機取付構造に関する。
【背景技術】
【０００２】
周知のように、パチンコ遊技機やスロットマシンなどの遊技機は、遊技場において台部材とこれに対して上下方向で対面する天部材とを含む開口部を備えて島と称される設置部に挿入されて取り付けられるようになっている。
【０００３】
遊技機のうちで、パチンコ遊技機を例にすると、パチンコ遊技機は、遊技盤を有する前枠が開閉可能に支持されている外枠を島の開口部における台部材上に載置した状態で挿入し、挿入が完了した時点で外枠が釘打ちなどにより固定されるようになっている。また、島に設置された遊技機は、遊技盤面の上方を所定角度傾けて遊技球の流下状態を調整した状態で固定される場合もある。（例えば、特許文献１，２）。
【特許文献１】特開２００５−２２４５０８号公報（段落「０００２」欄）
【特許文献２】特開２００５−２７９２５４号公報（段落「０００２」欄）
【発明の開示】
【発明が解決しようとする課題】
【０００４】
遊技機は、遊技者の要望や嗜好などにいち早く対応できるようにして遊技者への貢献あるいは遊技場間で優位性を得るために数ヶ月に一度あるいはそれよりも短いサイクルで新しい機種への交換が行われる。この交換は、新台入れ替えなどと称されている。
【０００５】
遊技機の入れ替え時には、遊技機の外枠が島の開口部に釘打ちされていることから釘抜きなどの作業が必要となる。しかし、釘抜きに際しては作業労力がかなりなものとなるだけでなく、釘抜き道具を当てられる外枠はへつりと称される窪みができたり釘を露出させるためにその部分を破壊するなどにより再利用できない状態とされることがある。
【０００６】
本発明は、上記従来の遊技機設置構造における問題に鑑み、入れ替え作業を簡単に行えるようにするとともに、取り外した遊技機の構成部品を再利用することができる構成を備えた遊技機設置構造を提供することにある。
【課題を解決するための手段】
【０００７】
この目的を達成するため本発明は次の構成からなる。  
（１）遊技機設置箇所に設けられている台部材に対して遊技機を支持する外枠を挿入載置可能な構成を備えた遊技機設置構造において、
遊技機設置箇所に載置されている台部材に固定された係合突起と、
遊技機を支持する外枠の底部に形成され、前記係合突起を収容する係合溝とを備え、
前記係合溝は、前記外枠の挿入方向に形成され、前記係合突起を案内するガイド部と、該ガイド部に案内された前記係合突起を挿脱方向に移動不能に固定する係止部とを備えることを特徴とする遊技機設置構造。
【０００８】
（２）前記係止部は、前記ガイド部に接続され、前記外枠の挿入方向に交差する方向に形成され、前記係合突起と同一幅を有する収納部であることを特徴とする（１）に記載の遊技機設置構造。
【０００９】
（３）遊技機設置箇所に設けられている台部材に対して遊技機を支持する外枠を挿入載置可能な構成を備えた遊技機設置構造において、
前記外枠の設置完了時に、相互に係合して、前記台部およびこれと上下方向で対面する天部材に対して前記外枠の幅方向の移動を規制する係合凹部と係合凸部とを有し、
該係合凹部は、前記台部材と天板部とを含む開口部の前方側から奥側に向けて開口幅が漸減し、係合凸部は前記係合凹部と相対形状をなすように前記開口部の奥側から前方側に向けて幅が漸減する構成とされ、
前記係合凹部は前記外枠または台部材と天部材の一方に、そして前記係合凸部は外枠または台部材と天部材の他方に設けられていることを特徴とする遊技機設置構造。
【００１０】
（４）遊技機設置箇所に設けられている台部材に対して遊技機を支持する外枠を挿入載置可能な構成を備えた遊技機設置構造において、
台部材およびこれと上下方向で対面する天部材の少なくとも一方に設けられた支持部材と、
前記支持部材に設けられている揺動支点と、
前記揺動支点により揺動自在に支持された固定部材と、
該固定部材に設けられている操作部と、
前記揺動支点を挟んで前記操作部の反対側に設けられている押さえ部材とを備え、
前記押さえ部材は、前記台部材と前記押さえ部材との間に前記外枠を挟んで該外枠を押圧固定する固定位置と、固定を解除できる開放位置との間で移動可能に支持され、
前記固定位置と開放位置は、前記揺動支点から前記台部材へ下ろした垂線を挟んで相互に反対側に位置することを特徴とする遊技機設置構造。
【発明の効果】
【００１１】
本発明によれば、遊技機設置部の台部材に対して外枠が摺動されるだけで所定値に位置決めされる構成を備えているので、釘を用いた場合の釘抜きに要する労力負担の軽減、取り外された外枠への損傷防止による再利用化が可能となる。
【００１２】
特に請求項１および２記載の発明においては、摺動ガイドのための構成として、台部材側の係合突起と外枠側の係合凹部とを用い、係合凹部には摺動ガイドとともに係止部による設置位置での固定が行えるので、簡単な構成により設置の際の挿入操作と固定位置への位置決めという複数機能を得ることが可能となる。
【００１３】
請求項３記載の発明においては、係合凹部および係合突起がその幅を漸減させる形状とされているので、挿入のみの係合操作によって係合後の幅方向での位置ずれを防止でき、取り外す際には、挿入と逆方向に引き出すだけの作業で済む。
【００１４】
請求項４記載の発明においては、台部材に載置された外枠を揺動可能な押さえ部材揺動位置に応じて固定状態と固定解除状態とが選択できるので、外枠への加工を要することがなく外枠の再利用を促進することが可能となる。
【発明を実施するための最良の形態】
【００１５】
以下、図示実施例により本発明を実施するための最良の形態について説明する。
【実施例】
【００１６】
図１は、本発明実施例による遊技機設置構造に用いられる遊技機設置部の構成を示す図であり、本実施例に用いられる遊技機設置部は、パチンコ遊技機を対象とした場合の遊技盤を支持する前枠が開閉可能に支持されている外枠１０を挿入載置することができる島が相当しており、島は、図１において符号ＡＢで示す台部材とこれに対し上下方向で対面する天部材ＡＦとを含んで外枠１０が挿入載置される開口部を構成している。
【００１７】
図１において、パチンコ遊技機１は、島の開口部（以下、島開口ともいう）内に取り付けられる外枠１０と、外枠１０に対してヒンジ部材１１を介して開閉可能に設けられている前枠１２とを備えている。
【００１８】
外枠１０は、前後両面が開放された矩形枠で構成されており、後で詳しく説明する構成を用いて島開口における台部材ＡＢに底面が載置された状態で固定される。台部材ＡＢへの取付および取り外しに際しては、外枠１０の底面が台部材ＡＢを摺動されることで挿脱作業が行われる。
【００１９】
前枠１２には、図示しない開口部を介して外部から視認できる状態で露呈する遊技面を有した遊技盤１３が取り付けられており、ヒンジ部材１１が位置する基端側と反対側の開閉端には、外枠１０側に設けてあるロック部材１０Ｅに係脱可能なロック爪１２Ａ、１２Ｂおよびロックキー１２Ｃが設けてある。なお、前枠１２に対して遊技盤１３は、締結などによる一体化構造の他に、例えば、前枠１２側に設けてある摺動ガイド（図示されず）の内部で摺動および固定できるようにして摺動による取り出しあるいは挿入操作によって交換できる構成とすることも可能である。
【００２０】
遊技盤１３における遊技面の裏面には、賞球受け皿１４，誘導樋１５や払い出し装置１６などのパチンコ球の移動処理を司る装置と、全ては示されていないが、遊技に係わる制御を行う、主制御ユニット１７および副制御ユニット１８，そして、液晶ユニット１９，払い出し制御部２０およびや電源装置２１とが設けられている。
【００２１】
一方、外枠１０は、図２、図３及び図４に示されている構成により島開口に取り付けられるようになっている。
【００２２】
図２は、島の奥側から見た外枠１０の模式図である。なお、図２においては、便宜上、外枠１０の天部１０Ｂと島の天部材ＡＦとが離れているように示されているが、実際は、図３に示すように、天部材Ａ２との間は挿入するための隙間程度のみが設けられている。
【００２３】
図２において外枠１０には、底部１０Ａに係合溝２２が設けられ、この係合溝２２に対応する台部材Ａ１側に係合突起２５が設けられている。
【００２４】
係合溝２２は、外枠１０の底部１０Ａにおいて幅方向中央を境にして等分位置に形成された溝部であり、外枠１０の挿入方向（図２中、矢印Ｓで示す方向）に沿って形成されて台部材Ａ１側の係合突起２５を案内するガイド部２２Ａと、ガイド部２２Ａに接続して形成されてガイド部２２Ａによりガイドされた係合突起２５を外枠１０の挿脱方向に移動不能に固定する係止部２２Ｂとを備えている。
【００２５】
係止部２２Ｂは、係合突起２５と同一幅を持たせて外枠１０の挿入方向と交差する方向に形成された部分であり、ガイド部２２Ａ内でガイドされた係合突起２５が挿入方向と交差する方向にガイドされることで外枠１０を挿脱方向に移動できない状態を維持できるようになっている。
【００２６】
従って、外枠１０は、島開口において台部材ＡＢと天部材ＡＦとの間で前側から奥側に向け挿入される際に、図３に示すように、係合溝２２のガイド部２２Ａに係合突起２５を嵌合させて挿入方向に移動されることにより島開口側の台部材ＡＢに載置された状態で挿入方向での設置位置に向け移動することができる。
【００２７】
係合突起２５がガイド部２２Ａの最深部に突き当たった時点で係止部２２Ｂが係合突起２５をガイドする方向、つまり係止部２２Ｂの形成方向に沿って外枠１０を移動させると、係止部２２Ｂの形成方向により外枠１０が挿脱方向での移動を阻止された状態で島開口内で遊技機設置箇所への位置決めが行われる。
【００２８】
一方、外枠１０の天部１０Ｂには、幅方向中央に天部１０Ｂを島開口の天部材ＡＦに固定するための構成が備えられている。
【００２９】
つまり、天部１０Ｂの幅方向中央には取付ネジ２３の頭部を埋め込むことができる段付孔２４が形成されており、段付孔２４に対向する天部材ＡＦには、取付ネジ２３が締結されるネジ穴ＡＦ１が形成されている。
【００３０】
このため、外枠１０は、島開口内に挿入されて係合溝２２の係止部２２Ｂに係合突起２５が入り込むことにより挿入方向と交差する方向での設置箇所に位置決めされると、取付ネジ２３が天部材ＡＦ側に締結されることにより天部１０Ｂが島開口の天部材ＡＦに固定されて位置決めされる。
【００３１】
本実施形態においては、外枠１０が挿入方向への移動とこの方向と交差する方向に動かされるだけで島開口部の設置箇所に位置決めされ、さらに、入れ替えなどの際の取り外しに際しては設置と逆の手順を用いるだけで取り外しが行える。このため、釘抜きなどの作業を不要にすることができる。
【００３２】
なお、上述した係合溝２２は、外枠１０の底部１０Ａにおいて厚さ方向に貫通させてあるが、本実施形態では、これに限らず、例えば、図４に示すように、係合溝２２の形状を保った座繰り加工による凹状溝とすることも可能である。
【００３３】
次の本発明の第２の実施形態について説明する。  
図５に示す実施形態は、外枠１０を挿入方向に移動させるだけで幅方向での位置決めおよびその方向への移動を阻止することができることを特徴としている。
【００３４】
図５において、外枠１０の底部１０Ａおよびこれが挿入載置される島開口には、外枠１０の設置完了時に相互に係合して島開口部側の台部材ＡＢおよび天部材ＡＦに対し外枠１０の幅方向の移動を規制する係合凹部２７および係合凸部３０とが設けられている。
【００３５】
係合凹部２７は、外枠１０の底部１０Ａで幅方向中央に設けられており、島開口の前側から奥側に向けて開口幅が漸減する形状とされて島開口の前側縁に対向する端縁が開放されている。
【００３６】
係合凹部２７に係合可能な係合凸部３０は、係合凹部２７に対向する島開口の台部材ＡＢ側に設けられて係合凹部２７と相対形状に形成されている。
【００３７】
一方、外枠１０の天部１０Ｂには、長孔からなる取付用段付孔２８が形成されており、その中心には取付部材２９の軸部２９Ａを挿通するための孔が貫通されている。取付部材２９は、軸方向一端にドライバなどで回転操作が可能な頭部２９Ｂを有し、軸方向他端に取付用段付孔２８に挿通される板部材からなる係止部２９Ｃが設けられている。
【００３８】
係止部材２９Ｃは、島開口側の天部材ＡＦ側に形成されている係止用長孔ＡＦ２内で回転位相を９０°変えることにより天部１０Ｂを外枠１０の挿脱方向に移動しない状態で係止するようになっている。
【００３９】
本実施形態において外枠１０を島開口内に挿入載置する場合には、外枠１０側の係合凹部２７と島開口側の係合凸部３０との位置を合わせて状態で島開口の前側から奥側に挿入する（図５においては、外枠１０の挿入方向が矢印Ｓで示してある）。
【００４０】
係合凹部２７が係合凸部３０に係合すると、挿入方向での外枠１０の位置決めが行われるとともに、幅方向での移動を阻止された状態となる。この後、取付部材２９を取付用段付孔２９に挿入して係止部材２９Ｄを回転させて係止用長孔Ａ２内で回転位相を９０°変化させることにより天部１０Ｂが外枠１０の挿脱方向の移動を阻止されて外枠１０の取付が完了する。
【００４１】
外枠１０を島開口から取り外す場合には、上述した手順と逆の手順により折り外すことができる。
【００４２】
本実施形態においては、外枠１０の挿脱方向への操作のみで外枠１０の取付および取り外しが行えるので、作業性を向上させることができる。
【００４３】
次に本発明のさらに第３の実施形態について説明する。
【００４４】
本実施形態は、外枠１０の一部を押圧して台部材ＡＢとの間で挟み込むことにより外枠１０の固定が行えるようにしたことを特徴としている。
【００４５】
図６、図７及び図８において、島開口側の台部材ＡＢと天部材ＡＦのうちの台部材ＡＢには、島開口の奥側に外枠１０の奥側端部に対向して上部にチャンネル形状部を有した支持部材１００が設けられている。
【００４６】
支持部材１００には、チャンネル形状部に揺動支点となる支軸１０１が挿通されており、支軸１０１には、シーソー運動のように揺動自在な固定部材１０２が支持されている。
【００４７】
固定部材１０２は、支軸１０１を挟んで上方側の揺動端が握り部とされた操作部１０２Ａが、そして操作部１０２Ａと反対側の揺動端にコロなどを用いた押さえ部材１０２Ｂがそれぞれ設けられており、押さえ部材１０２Ｂは、外枠１０の底部１０Ａに対向し、揺動位置によって、図７に示すように、底部１０Ａの上面を押さえて固定する固定位置と、図８に示すように、固定を解除できる開放位置との間を移動できるようになっている。
【００４８】
固定位置と開放位置とは、揺動支点である支軸１０１から台部材ＡＢに向けて下ろした垂線Ｖを挟んで反対側に位置するようになっており、固定位置にある押さえ部材１０２Ｂは、底部１０Ａからの反力によって移動しようとするのを支軸１０１によって阻止されることで底部１０Ａを押さえ付けた状態を維持できるようになっている。また、固定位置にある押さえ部材１０２Ｂは、支持部材１００の内側に当接することにより、図７において垂線Ｖの左側への不用意な揺動を阻止されるようになっており、これにより、外枠１０の低位部１０Ａを押さえ付ける状態が不用意に解除されないようになっている。なお、支持部材１００および固定部材１０２は、外枠１００の底部１０Ａを対象とするだけでなく、天部１０Ｂおよびこれに対応する島開口の天部材ＡＦも含めて設けることも可能である。
【００４９】
本実施形態では、図７に示す位置に押さえ部材１０２Ｂがある時に外枠１０の底部１０Ａに対する押さえ付け力が最大となるように、支軸１０１から押さえ部材１０２Ｂまでの揺動半径が規定されている。このため、垂線Ｖの位置での支軸１０１と押さえ部材１０２Ｂとの間の距離は最大押さえ付け力が発生する位置までの揺動半径よりも小さくなるので過大な力が外枠１０の底部１０Ａに作用することになる。そこで、本実施形態では、押さえ部材１０２Ｂを弾性体などの可撓性部材で構成することにより距離差による作用力の増加を押さえ部材１０２Ｂの撓み変形により吸収するようになっている。
【００５０】
このような構成とすることで、押さえ部材１０２Ｂが通過する底部１０Ａでの窪み変形の発生を抑制することができ、外枠１０の再利用時での製品価値を下げないようにすることができる。
【００５１】
なお、島開口に取り付けられる遊技機は、遊技面に傾きを与える場合がある。このような要求に対しては、外枠１０の底部１０Ａと天部１０Ｂとの位置決め条件を異ならせることで可能となる。
【図面の簡単な説明】
【００５２】
【図１】本発明の実施形態による遊技機設置構造が適用される遊技機の要部構成を説明するための斜視図である。
【図２】本発明の実施形態の一つによる遊技機設置構造の構成を説明するための模式図である。
【図３】同じく、遊技機設置構造の構成を説明するための断面側面図である。
【図４】同じく、遊技機設置構造の他の構成例を説明するための外枠底部の部分斜視図である。
【図５】本発明の第２実施形態の遊技機設置構造の構成を説明するための模式図である。
【図６】本発明の第３実施形態による遊技機設置構造の構成を説明するための部分斜視図である。
【図７】同じく、固定位置を示す断面側面図である。
【図８】同じく、開放位置を示す断面側面図である。
【符号の説明】
【００５３】
１  遊技機
１０  外枠
１０Ａ  底部
１０Ｂ  天部
１１  ヒンジ部
１２  前枠
２２  係合溝
２２Ａ  ガイド部
２２Ｂ  係止部
２５  係合突起
２７  係合凹部
３０  係合凸部
１００  支持部材
１０１  支軸
１０２  固定部材
１０２Ａ  操作部
１０２Ｂ  押さえ部材
Ｓ  挿入方向
Ｖ  垂線
【図１】
2007209606.tif 000003
【図２】
2007209606.tif 000004
【図３】
2007209606.tif 000005
【図４】
2007209606.tif 000006
【図５】
2007209606.tif 000007
【図６】
2007209606.tif 000008
【図７】
2007209606.tif 000009
【図８】
2007209606.tif 000010